(57)【要約】【課題】  照度センサからの出力に応答して、照明器具を制御する照明制御装置において、外乱光などによる誤動作を防止しつつ、応答性を向上する。【解決手段】  タイムテーブルに、照明器具が消灯すべき昼間の時間帯Ｗ１、点灯すべき真夜中の時間帯Ｗ２、点灯してもよい夜間の時間帯Ｗ３、前記真夜中の時間帯Ｗ２から昼間の時間帯Ｗ１への切換わりの朝方の時間帯Ｗ４および前記昼間の時間帯Ｗ１から夜間の時間帯Ｗ３への切換わりの夕方の時間帯Ｗ５を設定し、前記時間帯Ｗ１，Ｗ２では、照度センサの検知結果に拘わらず強制的に消灯または点灯させ、照度センサの検知結果を利用する時間帯Ｗ３〜Ｗ５では、消灯させるか、または点灯させるかの判定時間を変化する。具体的には、夜間の時間帯Ｗ３では長くし、車のライトなどの外乱光による誤動作を防止する。時間帯Ｗ４，Ｗ５では、前記判定時間を短くし、応答性を向上する。【選択図】      図４
2006344555.tif 000002
【特許請求の範囲】
【請求項１】
照度センサからの出力に応答して、照明器具を点灯すべきか、または消灯すべきかを判定して制御する照明制御装置において、
刻時手段と、
少なくとも点灯／消灯の切換えが行われる可能性のある時間帯には短く、切換えが行われる可能性のない時間帯には長く設定され、各時刻に対応した判定時間を記憶している記憶手段と、
前記刻時手段で得られた現在時刻に対応した判定時間を前記記憶手段から読出し、その判定時間に応じて前記照度センサからの出力を判定し、点灯／消灯の切換え制御を行う制御手段とを含むことを特徴とする照明制御装置。
【請求項２】
前記請求項１記載の照明制御装置に、照度センサを備えて成る照明システムであって、
前記照度センサは、前記照明制御装置から給電され、給電電圧を検知照度に応じた複数の電圧レベルに変化させることで前記照明制御装置へ検知結果を出力することを特徴とする照明システム。
【請求項３】
前記照度センサは、
給電線からの給電電圧を該照度センサ内で使用する予め定める電源電圧レベルに降下させて安定化させる電源回路と、
前記電源回路からの電源電圧で駆動され、入力光レベルに対応した電圧を出力する光電変換回路と、
前記電源回路からの電源電圧で駆動され、前記光電変換回路の出力電圧を相互に異なる基準電圧でレベル弁別する複数の比較回路と、
前記比較回路からの出力に応じて、前記給電線からの給電電圧を前記電源電圧レベルよりも高い複数の電圧レベルの何れかに降下させる電圧降下回路とを備えて構成され、
前記照明制御装置は、前記照度センサへの給電電圧の降下レベルから、前記照度センサの検知照度を認識することを特徴とする請求項２記載の照明システム。
【発明の詳細な説明】
【技術分野】
【０００１】
本発明は、照度センサからの出力に応答して照明器具を制御するようにした照明制御装置およびそれを用いる照明システムに関する。
【背景技術】
【０００２】
上記のような照度センサからの出力に応答して照明器具を制御するようにした典型的な従来技術として、特許文献１には、照度センサで検出された照度レベルが予め定める第１の値を超えると、朝になったと判断して照明器具を消灯させ、前記第１の値より高い第２の値を上回ると、その時点から予め定める時間だけ、前記照度センサからの入力を禁止することで、雲などの影響による一時的な照度低下に対して、不所望な再点灯を防止するようにした照明装置が提案されている。
【０００３】
同様の手法で、特許文献２には、日没時の誤動作を防止するようにした照明装置が提案されている。
【０００４】
しかしながら、これらの従来技術では、照度センサの出力自体から、一概に予め定める時間だけ制御の切換わりを禁止するので、前記予め定める時間が経過すると、適切な制御を行えない場合がある。そこで、このような不具合を防止するために、特許文献３では、時間帯に応じて切換えの閾値を変化することで、外乱光などによる誤動作を防止している。
【特許文献１】特開平１１−２１４１６９号公報
【特許文献２】特開平１１−２１４１７６号公報
【特許文献３】特開平１１−１９１４９３号公報
【発明の開示】
【発明が解決しようとする課題】
【０００５】
しかしながら、上述の従来技術でも、照度センサに、大きくなった閾値を超えるような入力、たとえば車のライトが入射すると、照明器具を消灯してしまうという問題がある。
【０００６】
本発明の目的は、外乱光などによる誤動作を確実に防止することができる照明制御装置およびそれを用いる照明システムを提供することである。
【課題を解決するための手段】
【０００７】
本発明の照明制御装置は、照度センサからの出力に応答して、照明器具を点灯すべきか、または消灯すべきかを判定して制御する照明制御装置において、刻時手段と、少なくとも点灯／消灯の切換えが行われる可能性のある時間帯には短く、切換えが行われる可能性のない時間帯には長く設定され、各時刻に対応した判定時間を記憶している記憶手段と、前記刻時手段で得られた現在時刻に対応した判定時間を前記記憶手段から読出し、その判定時間に応じて前記照度センサからの出力を判定し、点灯／消灯の切換え制御を行う制御手段とを含むことを特徴とする。
【０００８】
上記の構成によれば、照度センサからの出力に応答して照明器具を点灯すべきか、または消灯すべきかを判定して制御するにあたって、判定に費やす判定時間を、固定しておくのではなく、現在時刻に応じて変更可能とする。そして、点灯／消灯の制御の切換えが行われる可能性のある曜日や時間帯、或いは季節などには、前記判定時間を短くして切換えが行われ易くし、切換えを行う必要のない（消灯したままの）曜日、もしくは切換えが行われる可能性のない時間帯や季節などには、判定時間を長くして切換えが行われ難くする。
【０００９】
したがって、外乱光などによる誤動作を確実に防止しつつ、応答性を向上することができる。
【００１０】
なお、前記記憶手段に記憶される各時間帯における判定時間は、使用者によって、季節などに応じて予め設定されてもよい。或いは、前日に制御手段が実際に制御切換えを行った時刻を学習し、その時刻を中心とする前後に予め定める時間帯を前記少なくとも点灯／消灯の切換えが行われる可能性のある時間帯とし、それ以外の時間帯を前記点灯／消灯の切換えが行われる可能性のない時間帯として、それぞれ前記判定時間が設定されてもよい。
【００１１】
また、本発明の照明システムは、前記の照明制御装置に、照度センサを備えて成る照明システムであって、前記照度センサは、前記照明制御装置から給電され、給電電圧を検知照度に応じた複数の電圧レベルに変化させることで前記照明制御装置へ検知結果を出力することを特徴とする。
【００１２】
上記の構成によれば、前記の照明制御装置を用いて照明システムを構成するにあたって、照度センサには前記照明制御装置から給電されるようにし、かつ検知結果の出力を、給電電圧を検知照度に応じた複数の電圧レベルに変化させることで行う。
【００１３】
したがって、照度センサへの配線を一対の給電線だけとすることができ、施工を簡略化することができるとともに、照明制御装置は複数の検知結果に応じて、一部だけ点灯したり、調光したりして、照明器具を細かく制御することができる。
【００１４】
さらにまた、本発明の照明システムでは、前記照度センサは、給電線からの給電電圧を該照度センサ内で使用する予め定める電源電圧レベルに降下させて安定化させる電源回路と、前記電源回路からの電源電圧で駆動され、入力光レベルに対応した電圧を出力する光電変換回路と、前記電源回路からの電源電圧で駆動され、前記光電変換回路の出力電圧を相互に異なる基準電圧でレベル弁別する複数の比較回路と、前記比較回路からの出力に応じて、前記給電線からの給電電圧を前記電源電圧レベルよりも高い複数の電圧レベルの何れかに降下させる電圧降下回路とを備えて構成され、前記照明制御装置は、前記照度センサへの給電電圧の降下レベルから、前記照度センサの検知照度を認識することを特徴とする。
【００１５】
上記の構成によれば、照度センサへの配線を一対の給電線だけとしても、照明制御装置へ複数の検知結果を出力することができる構成を具体的に実現することができる。
【発明の効果】
【００１６】
本発明の照明制御装置は、以上のように、照度センサからの出力に応答して照明器具を点灯すべきか、または消灯すべきかを判定して制御するにあたって、判定に費やす判定時間を、固定しておくのではなく、現在時刻に応じて変更可能とし、点灯／消灯の制御の切換えが行われる可能性のある曜日や時間帯、或いは季節などには、前記判定時間を短くして切換えが行われ易くし、切換えを行う必要のない（消灯したままの）曜日、もしくは切換えが行われる可能性のない時間帯や季節などには、判定時間を長くして切換えが行われ難くする。
【００１７】
それゆえ、外乱光などによる誤動作を確実に防止しつつ、応答性を向上することができる。
【００１８】
また、本発明の照明システムは、以上のように、前記の照明制御装置を用いて照明システムを構成するにあたって、照度センサには前記照明制御装置から給電されるようにし、かつ検知結果の出力を、給電電圧を検知照度に応じた複数の電圧レベルに変化させることで行う。
【００１９】
それゆえ、照度センサへの配線を一対の給電線だけとすることができ、施工を簡略化することができるとともに、照明制御装置は複数の検知結果に応じて、一部だけ点灯したり、調光したりして、照明器具を細かく制御することができる。
【発明を実施するための最良の形態】
【００２０】
［実施の形態１］
図１は、本発明の実施の一形態に係る照明システムの全体構成を示す図である。この照明システムは、大略的に、照明制御装置を構成するタイムスイッチ１およびリレーユニット２と、照度センサ３と、外灯などの照明器具Ｌ１，Ｌ２とを備えて構成される。
【００２１】
前記リレーユニット２は、分電盤４に収納され、前記タイムスイッチ１とは端子Ｔ０に接続される一対の多重伝送線Ｓ０によって接続され、前記照明器具Ｌ１，Ｌ２とは端子Ｔ１，Ｔ２に接続される一対の商用電源線ＰＬ１，ＰＬ２によってそれぞれ接続される。このリレーユニット２は、後述するように、前記タイムスイッチ１からの制御信号に応答して、前記照明器具Ｌ１，Ｌ２への商用電源の供給をＯＮ／ＯＦＦすることで、これらの照明器具Ｌ１，Ｌ２を個別に点灯／消灯制御するが、調光度合いも調整してもよい。
【００２２】
前記分電盤４にはまた、端子台５が収納されており、前記タイムスイッチ１と照度センサ３とは、この端子台５の端子Ｔ１１，Ｔ１２に接続される一対の給電線Ｓ１１，Ｓ１２によって相互に接続されており、これらの給電線Ｓ１１，Ｓ１２を介して、後述するように、前記タイムスイッチ１から照度センサ３へ電源供給が行われ、照度センサ３の検知結果がタイムスイッチ１へ通信される。
【００２３】
図２は、前記照度センサ３の具体的な一構成例を示すブロック図である。この照度センサ３は、前記給電線Ｓ１１，Ｓ１２の極性を任意にするダイオードブリッジ１１と、前記給電線Ｓ１１，Ｓ１２からの給電電圧Ｖ１、たとえば１２Ｖを、該照度センサ３内で使用する予め定める電源電圧Ｖ２、たとえば３Ｖに降下させて安定化させる電源回路１２と、前記電源回路１２からの電源電圧Ｖ２で駆動され、入力光レベルに対応した電圧を出力する光電変換回路１３と、前記電源回路１２からの電源電圧Ｖ２で駆動され、前記光電変換回路１３の出力電圧Ｖ３を相互に異なる基準電圧Ｖｒｅｆ１，Ｖｒｅｆ２でそれぞれレベル弁別する２つの比較回路１４，１５と、前記比較回路１４，１５からの制御出力ＣＴＬ１，ＣＴＬ２に応じて、前記給電線Ｓ１１，Ｓ１２からの給電電圧Ｖ１を前記電源電圧Ｖ２のレベルよりも高い複数の電圧レベルの何れかに降下させる電圧降下回路１６とを備えて構成される。
【００２４】
前記給電線Ｓ１１，Ｓ１２からの給電電圧Ｖ１は、前記電圧降下回路１６を接続するにあたって介在される抵抗Ｒ１，Ｒ２からリップル吸収用のコンデンサＣ１を介して前記電源回路１２へ入力され、該電源回路１２で前記電源電圧Ｖ２に降下され、平滑コンデンサＣ２で安定化されて前記光電変換回路１３および比較回路１４，１５に供給される。
【００２５】
前記光電変換回路１３は、前記電源電圧Ｖ２がコレクタに供給され、入射光強度に応じた電流を流すフォトトランジスタ１７と、前記フォトトランジスタ１７のエミッタ電流を前記出力電圧Ｖ３に変換する電流−電圧変換抵抗Ｒ３と、前記出力電圧Ｖ３のリップル吸収用のコンデンサＣ３とを備えて構成され、フォトＩＣで実現される。
【００２６】
前記比較回路１４は、分圧抵抗Ｒ１１，Ｒ１２と、帰還抵抗Ｒ１３と、コンデンサＣ１１と、比較器ＣＰ１と、アンプＡ１とを備えて構成される。前記分圧抵抗Ｒ１１，Ｒ１２は、前記電源回路１２からの出力ライン間に直列に接続され、前記電源電圧Ｖ２から前記基準電圧Ｖｒｅｆ１を作成する。前記基準電圧Ｖｒｅｆ１は、コンデンサＣ１１によって安定化されて比較器ＣＰ１の反転入力端に入力される。この比較器ＣＰ１は、前記電源回路１２によって電源供給され、その非反転入力端には前記光電変換回路１３の出力電圧Ｖ３が入力され、この比較器ＣＰ１の出力は、帰還抵抗Ｒ１３によって負帰還される。この比較器ＣＰ１は、前記光電変換回路１３の出力電圧Ｖ３と前記基準電圧Ｖｒｅｆ１とを相互に比較し、前記出力電圧Ｖ３が基準電圧Ｖｒｅｆ１以上、すなわち前記フォトトランジスタ１７への入射光強度が前記基準電圧Ｖｒｅｆ１で規定された照度以上であるときにはハイレベルの出力を導出し、規定された照度未満であるときにはローレベルの出力を導出する。前記比較器ＣＰ１からの出力は、前記電源回路１２によって電源供給されるアンプＡ１によって、前記電圧降下回路１６を駆動するレベルに増幅され、前記制御出力ＣＴＬ１として導出される。
【００２７】
比較回路１５は、上述の比較回路１４と同様に構成され、分圧抵抗Ｒ２１，Ｒ２２、帰還抵抗Ｒ２３、コンデンサＣ２１、比較器ＣＰ２およびアンプＡ２が、それぞれ前記分圧抵抗Ｒ１１，Ｒ１２、帰還抵抗Ｒ１３、コンデンサＣ１１、比較器ＣＰ１およびアンプＡ１に対応し、前記光電変換回路１３の出力電圧Ｖ３を前記基準電圧Ｖｒｅｆ１よりも低い基準電圧Ｖｒｅｆ２と比較し、比較結果を前記電圧降下回路１６に前記制御出力ＣＴＬ２として導出する。
【００２８】
前記電圧降下回路１６は、前記抵抗Ｒ１，Ｒ２と、ツェナダイオードＺＤ１，ＺＤ２と、制御トランジスタＴＲ１，ＴＲ２と、抵抗Ｒ３１，Ｒ３２；Ｒ４１，Ｒ４２とを備えて構成される。前記ダイオードブリッジ１１から電源回路１２への電源ラインに設けられる抵抗Ｒ１，Ｒ２間には、ツェナダイオードＺＤ１と制御トランジスタＴＲ１との直列回路およびツェナダイオードＺＤ２と制御トランジスタＴＲ２との直列回路の一端が接続され、前記直列回路の他端はＧＮＤに接続されている。前記制御トランジスタＴＲ１のベースには前記比較回路１４からの制御出力ＣＴＬ１が抵抗Ｒ３１，Ｒ３２を介して与えられ、前記制御出力ＣＴＬ１がハイレベルとなると該制御トランジスタＴＲ１がＯＮし、前記給電電圧Ｖ１をツェナダイオードＺＤ１のブレークダウン電圧に降下させる。同様に、前記制御トランジスタＴＲ２のベースには前記比較回路１５からの制御出力ＣＴＬ２が抵抗Ｒ４１，Ｒ４２を介して与えられ、前記制御出力ＣＴＬ２がハイレベルとなると該制御トランジスタＴＲ２がＯＮし、前記給電電圧Ｖ１をツェナダイオードＺＤ２のブレークダウン電圧に降下させる。
【００２９】
したがって、前記フォトトランジスタ１７への入射光強度が低い方の前記基準電圧Ｖｒｅｆ２で規定される照度未満であるときには、比較回路１４，１５の出力ＣＴＬ１，ＣＴＬ２は共にローレベルとなり、制御トランジスタＴＲ１，ＴＲ２が共にＯＦＦして、前記給電電圧Ｖ１は前記タイムスイッチ１の出力電圧のままとなる。ダイオードブリッジ１１による電圧降下が生じるので、この場合、たとえば前記タイムスイッチ１の出力電圧を１２Ｖとすると、電源回路１２への給電電圧Ｖ１は、１１Ｖとなる。
【００３０】
一方、前記フォトトランジスタ１７への入射光強度が前記基準電圧Ｖｒｅｆ２で規定される照度以上であるときには、比較回路１５の制御出力ＣＴＬ２がハイレベルとなり、前記給電電圧Ｖ１がツェナダイオードＺＤ２のブレークダウン電圧、たとえば６Ｖに降下され、タイムスイッチ１の出力端の電圧は７Ｖとなる。さらに、前記フォトトランジスタ１７への入射光強度が前記基準電圧Ｖｒｅｆ１で規定される照度以上であるときには、比較回路１４の制御出力ＣＴＬ１もハイレベルとなり、前記給電電圧Ｖ１がツェナダイオードＺＤ１のブレークダウン電圧、たとえば５Ｖに降下され、タイムスイッチ１の出力端の電圧は６Ｖとなる。このような出力端の電圧変化から、タイムスイッチ１は、照度センサ３の検知結果を読取ることができる。
【００３１】
図３は、前記タイムスイッチ１の電気的構成を示すブロック図である。タイムスイッチ１は、週間のタイムテーブル２１を記憶する記憶部２２を有し、前記タイムテーブル２１には、曜日毎に、図４で示すような照明器具Ｌ１，Ｌ２が消灯すべき昼間の時間帯Ｗ１、点灯すべき真夜中の時間帯Ｗ２、点灯してもよい夜間の時間帯Ｗ３、前記真夜中の時間帯Ｗ２から昼間の時間帯Ｗ１への切換わりの朝方の時間帯Ｗ４および前記昼間の時間帯Ｗ１から夜間の時間帯Ｗ３への切換わりの夕方の時間帯Ｗ５が設定されている。また、タイムテーブル２１には、前記時間帯Ｗ１，Ｗ２では、照度センサ３の検知結果に拘わらず強制的に消灯または点灯させるかの制御状態が記憶されているのに対して、照度センサ３の検知結果を利用する時間帯Ｗ３〜Ｗ５では、消灯させるか、または点灯させるかの判定時間が記憶されている。
【００３２】
前記タイムテーブル２１は、週間に限らず、祝日なども設定されている１年を通したものであってもよく、また季節毎に設定されていてもよい。また、使用者によって設定されるだけでなく、照度センサ３の前日や数日間の検知結果などによって自動的に設定されるものでもよい。
【００３３】
タイムスイッチ１には、前記記憶部２２以外にも、制御部２３と、電源回路２４と、多重伝送信号送受信部２５と、クロック回路２６と、照度センサ電源供給回路２７と、照度センサ電圧モニタ部２８と、液晶表示部２９と、スイッチ操作入力部３０と、スイッチ表示部３１とを備えて構成される。
【００３４】
前記制御部２３は、マイクロコンピュータおよびその周辺回路などを備えて構成され、スイッチ操作入力部３０からの入力操作に応答して、液晶表示部２９およびスイッチ表示部３１にその操作内容の表示を行い、こうして前記タイムテーブル２１が作成される。そして、制御部２３は、刻時手段であるクロック回路２６からの現在時刻に対応した制御内容を前記タイムテーブル２１から読出し、必要な場合には照度センサ電圧モニタ部２８で得られた前記照度センサ３の検知結果に応答して、前記多重伝送線Ｓ０からリレーユニット２へ制御信号を出力し、照明器具Ｌ１，Ｌ２の制御を行う。
【００３５】
前記電源回路２４は、多重伝送線Ｓ０から安定した直流電源電圧ＶＤＤを作成し、このタイムスイッチ１内の各部に電源供給を行うとともに、直流電源電圧Ｖ４を作成し、照度センサ電源供給回路２７に前記給電電圧Ｖ１を作成させ、照度センサ３へ電源供給を行わせる。
【００３６】
図５は、前記照度センサ電源供給回路２７および照度センサ電圧モニタ部２８の具体的な一構成例を示すブロック図である。前記電源回路２４からの直流電源電圧Ｖ４は、抵抗Ｒ５１およびトランジスタＴＲ５１を介して平滑コンデンサＣ５１に入力される。前記トランジスタＴＲ５１のベース電位は、抵抗Ｒ５２およびツェナダイオードＺＤ５１によって予め定める電位に保持されており、これによって平滑コンデンサＣ５１からは、前記照度センサ３への給電電圧Ｖ１に対応した電圧Ｖ５が出力される。その電圧Ｖ５は、定電流出力回路となるトランジスタＴＲ５２，ＴＲ５３および抵抗Ｒ５３，Ｒ５４を介して前記給電電圧Ｖ１となり、給電線Ｓ１１，Ｓ１２へ出力される。
【００３７】
前記給電電圧Ｖ１は、コンデンサＣ５２および抵抗Ｒ５５によって、リップルの除去および安定化されて、入力抵抗Ｒ５６を介して取込まれ、３つの比較器ＣＰ１１〜ＣＰ１３の非反転入力端に共通に与えられる。前記比較器ＣＰ１１〜ＣＰ１３は、トランジスタＴＲ５１の出力電圧Ｖ５で駆動され、その反転入力端には、前記電圧Ｖ５をそれぞれ異なる分圧値の分圧抵抗Ｒ６１，Ｒ６２；Ｒ７１，Ｒ７２；Ｒ８１，Ｒ８２で分圧して得られた基準電圧Ｖｒｅｆ１１，Ｖｒｅｆ１２，Ｖｒｅｆ１３が入力されている。各比較器ＣＰ１１〜ＣＰ１３は、給電電圧Ｖ１が基準電圧Ｖｒｅｆ１１，Ｖｒｅｆ１２，Ｖｒｅｆ１３以上であるとローレベルを出力し、未満であるとハイレベルを出力する。その出力は、プルアップ抵抗Ｒ９１〜Ｒ９３を介して、オープンコレクタ出力で前記制御部２３のポートへ入力される。したがって、制御部２３は、照度センサ３の検知結果がどのレベルにあるのかを認識することができる。
【００３８】
上述のように構成される照明システムにおいて、前記図４を参照して、タイムスイッチ１は、昼間の時間帯Ｗ１では、照度センサ３の検知結果に拘わらず、照明器具Ｌ１，Ｌ２を消灯する。同様に、真夜中の時間帯Ｗ２では、照度センサ３の検知結果に拘わらず、照明器具Ｌ１，Ｌ２を点灯する。この場合、照度センサ３の検知結果、すなわち前記給電電圧Ｖ１の変化を受付けないようにしてもよいが、照度センサ３への給電自体を停止するようにしてもよい。また、照明器具Ｌ１，Ｌ２の設置工事や、ランプの取替え作業などに対応して、時間帯Ｗ１〜Ｗ５に拘わらず、照明器具Ｌ１，Ｌ２を強制点灯可能なように構成されていてもよい。
【００３９】
残余の時間帯Ｗ３〜Ｗ５では、タイムスイッチ１は、照度センサ３の検知結果を受付け、該照度センサ３の検知結果に応答して、照明器具Ｌ１，Ｌ２を点灯制御する。注目すべきは、本発明のタイムスイッチ１は、この際、受付けた前記照度センサ３の検知結果から、制御にあたって実際に照度変化したと判定するのに要する判定時間であるフィルタ処理時間が、前記夜間の時間帯Ｗ３と切換わりの時間帯Ｗ４，Ｗ５とで相互に異なるように設定されていることである。具体的には、照度変化が少ない夜間の時間帯Ｗ３は前記フィルタ処理時間が比較的長く設定されており、照度変化が激しい切換わりの時間帯Ｗ４，Ｗ５は前記フィルタ処理時間が比較的短く設定されている。前記時間帯Ｗ４とＷ５とのフィルタ処理時間は、相互に異なる値に設定されていてもよく、相互に等しい値に設定されていてもよい。
【００４０】
したがって、図６で示すように照度が変化してゆく場合、タイムスイッチ１は、夜間の時間帯Ｗ３では、車のライトが入射するなどして一時的に照度が消灯レベルＴＨ１に達しても、その照度変化が実線で示すように比較的長いフィルタ処理時間Ｔ３内で収束した場合、照明器具Ｌ１，Ｌ２は点灯したままとする。一方、仮想線で示すように、前記フィルタ処理時間Ｔ３を超えて照度が消灯レベルＴＨ１を超えていると、照明器具Ｌ１，Ｌ２を消灯する。すなわち、夜間の時間帯Ｗ３では、急に明るくなっても、照明器具Ｌ１，Ｌ２を消灯しない。
【００４１】
これに対して、真夜中の時間帯Ｗ２の強制点灯を経て、朝方の時間帯Ｗ４となると、照度が一旦消灯レベルＴＨ１に達すると、その変化は比較的短いフィルタ処理時間Ｔ４内で収束する可能性は小さく、速やかに照明器具Ｌ１，Ｌ２を消灯する。すなわち、朝方の時間帯Ｗ４では、明るくなったら直ちに照明器具Ｌ１，Ｌ２を消灯する。
【００４２】
その後、昼間の時間帯Ｗ１の強制消灯を経て、夕方の時間帯Ｗ５となると、比較的短いフィルタ処理時間Ｔ５に設定され、そのフィルタ処理時間Ｔ５を超えて、照度が点灯レベルＴＨ２を超えると、速やかに照明器具Ｌ１，Ｌ２を点灯する。すなわち、夕方の時間帯Ｗ５では、暗くなったら直ちに照明器具Ｌ１，Ｌ２を点灯する。
【００４３】
また、点灯の可能性のある時間帯Ｗ３〜Ｗ５において、タイムスイッチ１は、照度センサ３の検知結果に応じて、照明器具Ｌ１，Ｌ２を制御する。具体的には、図７で示すように前記入射光強度が高い方の基準電圧Ｖｒｅｆ１で規定される照度以上であるときには、照明器具Ｌ１，Ｌ２を共に消灯し、前記入射光強度が高い方の基準電圧Ｖｒｅｆ１で規定される照度より低く、低い方の基準電圧Ｖｒｅｆ２で規定される照度以上であるときには、照明器具Ｌ１，Ｌ２の一方を点灯し、あるいは深い調光率（発光輝度が低い）で調光制御を行い、低い方の基準電圧Ｖｒｅｆ２で規定される照度より低い場合には、照明器具Ｌ１，Ｌ２の両方を点灯し、あるいは浅い調光率（発光輝度が高い）で調光制御を行う。
【００４４】
すなわち、時刻ｔ１までの真夜中の時間帯Ｗ２では、照度センサ３への給電が停止されてその検知結果は入力されず、照明器具Ｌ１，Ｌ２は共に点灯している。時刻ｔ１を経過して朝方の時間帯Ｗ４となると、前記照度センサ３への給電が開始されてその検知結果が直ちに読込まれる。図７の例では、フォトトランジスタ１７への入射光強度が既に低い方の基準電圧Ｖｒｅｆ２で規定される照度以上であり、直ちに１灯の照明器具Ｌ２が消灯される。その後、入射光強度が強くなり、時刻ｔ２で基準電圧Ｖｒｅｆ１で規定される照度以上となると、もう１灯の照明器具Ｌ１も直ちに消灯され、時刻ｔ３で昼間の時間帯Ｗ１となると、照度センサ３への給電も停止されるというものである。
【００４５】
このように構成することで、点灯／消灯の制御の切換えが行われる可能性のある曜日や時間帯、或いは季節などには、フィルタ処理時間を短くして切換えが行われ易くし、切換えが行われる可能性のない曜日や時間帯、或いは季節などには、前記フィルタ処理時間を長くして切換えが行われ難くするので、外乱光などによる誤動作を確実に防止しつつ、応答性を向上することができる。
【００４６】
なお、前記照度センサ３は、相互に異なる照度レベルでの複数の検知結果を出力するので、タイムスイッチ１は、その照度センサ３の検知結果に応じて、照明器具Ｌ１，Ｌ２の一部だけ点灯したり、調光したりして、該照明器具Ｌ１，Ｌ２を細かく制御することができる。
【００４７】
ここで、図８に、従来の照度センサ３３を用いた照明システムの全体構成を示す。この図８において、図１の構成と同一の構成には同一の参照符号を付して示し、その説明を省略する。従来の照度センサ３３は、商用電源から給電線Ｓ２０によって電源供給されており、その検知結果は、予め定める照度レベル以上であるか否かを表すものであり、信号線Ｓ２１，Ｓ２２を介して、タイムスイッチ３１へ、無電圧接点出力を行っている。したがって、上述のように、照明器具Ｌ１，Ｌ２の一部だけ点灯したり、調光したりする多段の制御を行うためには、それぞれ検知照度レベルが異なる複数の照度センサが必要であり、また給電線Ｓ２０と信号線Ｓ２１とを敷設する必要があり、施工が面倒である。
【００４８】
これに対して本発明では、照度センサ３は、給電線Ｓ１２，Ｓ１１の吸込み電圧で、しかも複数の吸込み電圧で検知結果をタイムスイッチ１に読取らせるので、該照度センサ３への配線を一対の給電線Ｓ１２，Ｓ１１だけとすることができ、施工を簡略化することができるとともに、照明器具Ｌ１，Ｌ２を細かく制御することができる。
【図面の簡単な説明】
【００４９】
【図１】本発明の実施の一形態に係る照明システムの全体構成を示す図である。
【図２】図１で示す照明システムにおける照度センサの具体的な一構成例を示すブロック図である。
【図３】図１で示す照明システムにおけるタイムスイッチの電気的構成を示すブロック図である。
【図４】タイムテーブルの一例を説明するための図である。
【図５】前記タイムスイッチにおける照度センサ電源供給回路および照度センサ電圧モニタ部の具体的な一構成例を示すブロック図である。
【図６】本発明の動作を説明するための波形図である。
【図７】本発明の動作を説明するための波形図である。
【図８】従来の照度センサを用いた照明システムの全体構成を示す図である。
【符号の説明】
【００５０】
１    タイムスイッチ
２    リレーユニット
３    照度センサ
４    分電盤
５    端子台
１１    ダイオードブリッジ
１２    電源回路
１３    光電変換回路
１４，１５    比較回路
１６    電圧降下回路
１７    フォトトランジスタ
２１    タイムテーブル
２２    記憶部
２３    制御部
２４    電源回路
２５    多重伝送信号送受信部
２６    クロック回路
２７    照度センサ電源供給回路
２８    照度センサ電圧モニタ部
２９    液晶表示部
３０    スイッチ操作入力部
３１    スイッチ表示部
Ａ１，Ａ２    アンプ
Ｃ１，Ｃ３，Ｃ１１，Ｃ２１    コンデンサ
Ｃ２    平滑コンデンサ
Ｃ５１    平滑コンデンサ
Ｃ５２    コンデンサ
ＣＰ１，ＣＰ２；ＣＰ１１〜ＣＰ１３    比較器
Ｌ１，Ｌ２    照明器具
ＰＬ１，ＰＬ２    商用電源線
Ｒ１，Ｒ２    抵抗
Ｒ３    電流−電圧変換抵抗
Ｒ１１，Ｒ１２；Ｒ２１，Ｒ２２    分圧抵抗
Ｒ１３，Ｒ２３    帰還抵抗
Ｒ３１，Ｒ３２；Ｒ４１，Ｒ４２    抵抗
Ｒ５１〜Ｒ５６    抵抗
Ｒ６１，Ｒ６２；Ｒ７１，Ｒ７２；Ｒ８１，Ｒ８２    分圧抵抗
Ｒ９１〜Ｒ９３    プルアップ抵抗
Ｓ０    多重伝送線
Ｓ１１，Ｓ１２    給電線
ＴＲ１，ＴＲ２    制御トランジスタ
ＴＲ５１〜ＴＲ５３    トランジスタ
ＺＤ５１    ツェナダイオード
ＺＤ１，ＺＤ２    ツェナダイオード
【図１】
2006344555.tif 000003
【図２】
2006344555.tif 000004
【図３】
2006344555.tif 000005
【図４】
2006344555.tif 000006
【図５】
2006344555.tif 000007
【図６】
2006344555.tif 000008
【図７】
2006344555.tif 000009
【図８】
2006344555.tif 000010